(57)【要約】【課題】画像形成装置に設定された位置情報とその確からしさをユーザーに知らせる。【解決手段】複数の画像形成装置の位置情報及び信頼度関係情報を収集する情報収集部７１と、情報収集部７１により収集された信頼度関係情報に基づいて、画像形成装置の位置情報の信頼度を判定する信頼度判定部７３と、信頼度判定部７３による判定結果及び画像形成装置の位置情報を反映させた、複数の画像形成装置の位置関係に関する二次元情報を生成する表示制御部７６と、生成された二次元情報を表示する表示部６７と、を備える。【選択図】図１２
2017158078.tif 000002
【特許請求の範囲】
【請求項１】
複数の画像形成装置と、前記画像形成装置と通信を行う通信端末装置とを含む画像形成システムにおいて、
前記画像形成装置の各々は、
入力された位置情報を前記画像形成装置の位置情報に設定する位置情報設定部と、
前記画像形成装置の前記位置情報の信頼度に関わる信頼度関係情報を演算する信頼度関係情報演算部と、
前記通信端末装置と通信を行う第１の通信部と、
前記画像形成装置の前記位置情報及び前記信頼度関係情報を、前記第１の通信部を介して前記通信端末装置に送信する情報送信部と、を備え、
前記通信端末装置は、
複数の前記画像形成装と通信を行う第２の通信部と、
複数の前記画像形成装置の前記位置情報及び前記信頼度関係情報を、前記第２の通信部を介して収集する情報収集部と、
前記情報収集部により収集された前記信頼度関係情報を判定基準と比較することにより、前記画像形成装置の前記位置情報の信頼度を判定する信頼度判定部と、
前記信頼度判定部による判定結果及び前記画像形成装置の前記位置情報を反映させた、複数の前記画像形成装置の位置関係に関する二次元情報を生成する表示制御部と、
前記表示制御部で生成された前記二次元情報を表示する表示部と、を備える
画像形成システム。
【請求項２】
前記通信端末装置の前記表示制御部は、前記信頼度判定部による判定結果を元に、前記二次元情報の表示態様を変更する
請求項１に記載の画像形成システム。
【請求項３】
前記表示制御部は、前記信頼度判定部による判定結果及び前記画像形成装置の前記位置情報を反映させた、前記通信端末装置と複数の前記画像形成装置との位置関係に関する二次元情報を生成する
請求項２に記載の画像形成システム。
【請求項４】
前記通信端末装置の前記表示制御部は、前記通信端末装置の位置を基点とした前記通信端末装置と複数の前記画像形成装置との位置関係を示す位置関係図を前記二次元情報として生成し、少なくとも前記位置情報の信頼度が高い前記画像形成装置の位置を表す記号が前記表示部の表示画面に表示されるよう、前記位置関係図の縮尺を変更する
請求項３に記載の画像形成システム。
【請求項５】
前記通信端末装置は、建造物内の前記画像形成装置が設置された階の一部又は全部を表した地図であるフロアマップを記憶する記憶部、を更に備え、
前記通信端末装置の前記表示制御部は、前記通信端末装置の位置を表す記号及び前記画像形成装置の位置を表す記号を配置した前記フロアマップを前記二次元情報として生成し、少なくとも前記位置情報の信頼度が高い前記画像形成装置の位置を表す記号が前記表示部の表示画面に表示されるよう前記フロアマップの縮尺を変更する
請求項３に記載の画像形成システム。
【請求項６】
前記通信端末装置は、建造物内の前記画像形成装置が設置された階の一部又は全部を表した地図であるフロアマップを記憶する記憶部、を更に備え、
前記通信端末装置の前記表示制御部は、前記画像形成装置の位置を表す記号を配置した前記フロアマップを前記二次元情報として生成し、少なくとも前記位置情報の信頼度が高い前記画像形成装置の位置を表す記号が前記表示部の表示画面に表示されるよう前記フロアマップの縮尺を変更する
請求項２に記載の画像形成システム。
【請求項７】
前記通信端末装置の前記表示制御部は、選択可能な前記画像形成装置を前記表示部に表示し、選択された前記画像形成装置の前記位置情報の信頼度が低い場合には、前記位置情報の信頼度が高い前記画像形成装置の位置を表す記号が前記表示部の表示画面に表示される縮尺で、前記位置関係図、又は前記フロアマップを前記表示部の表示画面に表示する
請求項４乃至６のいずれかに記載の画像形成システム。
【請求項８】
前記通信端末装置が前記位置情報の信頼度が低い前記画像形成装置にジョブを送信した場合、前記ジョブを受信した画像形成装置は、前記位置情報設定部により設定された前記位置情報が変更されたとき、前記第１の通信部により前記ジョブを送信した前記通信端末装置へ変更後の前記位置情報を送信する
請求項１に記載の画像形成システム。
【請求項９】
前記信頼度関係情報は、前記画像形成装置の電源が投入されてから前記画像形成装置の前記位置情報が更新されているかどうかを示す第１の情報、前記画像形成装置の前記位置情報が最後に更新されてからの経過時間の長短を示す第２の情報、及び前記電源の直近の投入時刻が予め設定された時刻であるかどうかを示す第３の情報のうち少なくとも１以上の情報を含む
請求項１乃至８のいずれかに記載の画像形成システム。
【請求項１０】
前記通信端末装置の前記信頼度判定部は、前記信頼度関係情報に含まれる情報のうち１以上の情報に基づいて、前記画像形成装置の前記位置情報の信頼度を判定する
請求項９に記載の画像形成システム。
【請求項１１】
複数の画像形成装置と通信を行う通信部と、
複数の前記画像形成装置の位置情報、及び前記画像形成装置の前記位置情報の信頼度に関わる信頼度関係情報を、前記通信部を介して収集する情報収集部と、
前記情報収集部により収集された前記信頼度関係情報を判定基準と比較することにより、前記画像形成装置の前記位置情報の信頼度を判定する信頼度判定部と、
前記信頼度判定部による判定結果及び前記画像形成装置の前記位置情報を反映させた、複数の前記画像形成装置の位置関係に関する二次元情報を生成する表示制御部と、
前記表示制御部で生成された前記二次元情報を表示する表示部と、を備える
通信端末装置。
【請求項１２】
入力された位置情報を自装置の位置情報に設定する位置情報設定部と、
前記自装置の前記位置情報の信頼度に関わる信頼度関係情報を演算する信頼度関係情報演算部と、
通信端末装置と通信を行う通信部と、
前記自装置の前記位置情報及び前記信頼度関係情報を、前記通信部を介して前記通信端末装置に送信する情報送信部と、を備える
画像形成装置。
【請求項１３】
複数の画像形成装置の位置情報、及び前記画像形成装置の前記位置情報の信頼度に関わる信頼度関係情報を収集する処理と、
収集された前記信頼度関係情報を判定基準と比較することにより、前記画像形成装置の前記位置情報の信頼度を判定する処理と、
前記画像形成装置の前記位置情報の信頼度の判定結果及び前記画像形成装置の前記位置情報を反映させた、複数の前記画像形成装置の位置関係に関する二次元情報を生成する処理と、
前記二次元情報を表示する処理を、
通信端末装置が備えるコンピュータに実行させる表示プログラム。
【請求項１４】
入力された位置情報を自装置の位置情報に設定する処理と、
前記自装置の前記位置情報の信頼度に関わる信頼度関係情報を演算する処理と、
前記自装置の前記位置情報及び前記信頼度関係情報を、通信端末装置に送信する処理を、
画像形成装置が備えるコンピュータに実行させる情報送信プログラム。
【発明の詳細な説明】
【技術分野】
【０００１】
本発明は、複数の画像形成装置の位置を通信端末装置に表示する画像形成システム、通信端末装置、画像形成装置、表示プログラム及び情報送信プログラムに関する。
【背景技術】
【０００２】
近年、記録材に画像を形成する画像形成装置に、該画像形成装置の緯度、経度、及び高度の情報（以下「位置情報」とも記す）を設定することによって、プリンタドライバ上に画像形成装置の配置マップを表示したり、画像形成装置の設置位置に基づく固有の処理をさせたりなどの利用方法が考えられている。
【０００３】
従来、画像形成装置の位置を推定する技術として、特許文献１に開示されたものがある。特許文献１には、画像形成装置により認証された利用者のユーザー情報を取得し、ユーザー情報が認証された画像形成装置の装置情報を取得し、取得されたユーザー情報と装置情報とに基づいて、画像形成装置の設置場所を特定する画像形成装置の管理装置について開示されている。この画像形成装置の管理装置は、ユーザー情報に基づいてそのユーザーの所属部署名を特定し、所属部署名と装置情報とに基づいて画像形成装置の設置場所を特定する。
【先行技術文献】
【特許文献】
【０００４】
【特許文献１】特開２００８−１８６４５５号公報
【発明の概要】
【発明が解決しようとする課題】
【０００５】
しかしながら、画像形成装置に位置情報を設定した後に画像形成装置が移動されると、画像形成装置に設定された位置情報と実際に画像形成装置が設置されている場所の位置情報とが異なってしまう。この場合、再度、画像形成装置に位置情報を設定する必要があるが、画像形成装置に新たな位置情報を設定するまでの間、ユーザーに誤った位置情報を伝えることになる。また、ユーザーは、ジョブを送信した画像形成装置の位置情報と実際の設置場所の位置情報が異なることに気づく方法がない。
【０００６】
特許文献１に記載の技術は、上記のとおり、画像形成装置にジョブが送信された時に、画像形成装置のおおよその設置場所を特定する技術であるが、ジョブが送信されるまでの間、画像形成装置が移動されている可能性については判断できない。
【０００７】
本発明は、上記の状況を考慮してなされたものであり、画像形成装置に設定された位置情報とその確からしさ（信頼度）をユーザーに知らせることを目的とする。
【課題を解決するための手段】
【０００８】
本発明の一態様の画像形成システムは、複数の画像形成装置と、前記画像形成装置と通信を行う通信端末装置とを含む画像形成システムである。
画像形成装置の各々は、入力された位置情報を前記画像形成装置の位置情報に設定する位置情報設定部と、前記画像形成装置の前記位置情報の信頼度に関わる信頼度関係情報を演算する信頼度関係情報演算部と、前記通信端末装置と通信を行う第１の通信部と、前記画像形成装置の前記位置情報及び前記信頼度関係情報を、前記第１の通信部を介して前記通信端末装置に送信する情報送信部と、を備える。
通信端末装置は、複数の前記画像形成装と通信を行う第２の通信部と、複数の前記画像形成装置の前記位置情報及び前記信頼度関係情報を、前記第２の通信部を介して収集する情報収集部と、前記情報収集部により収集された前記信頼度関係情報に基づいて、前記画像形成装置の前記位置情報の信頼度を判定する信頼度判定部と、前記信頼度判定部による判定結果及び前記画像形成装置の前記位置情報を反映させた、複数の前記画像形成装置の位置関係に関する二次元情報を生成する表示制御部と、前記表示制御部で生成された前記二次元情報を表示する表示部と、を備える。
【０００９】
また、本発明の一態様の通信端末装置は、複数の画像形成装置と通信を行う通信部と、複数の前記画像形成装置の位置情報、及び前記画像形成装置の前記位置情報の信頼度に関わる信頼度関係情報を、前記通信部を介して収集する情報収集部と、前記情報収集部により収集された前記信頼度関係情報を判定基準と比較することにより、前記画像形成装置の前記位置情報の信頼度を判定する信頼度判定部と、前記信頼度判定部による判定結果及び前記画像形成装置の前記位置情報を反映させた、複数の前記画像形成装置の位置関係に関する二次元情報を生成する表示制御部と、前記表示制御部で生成された前記二次元情報を表示する表示部と、を備える。
【００１０】
また、本発明の一態様の画像形成装置は、入力された位置情報を自装置の位置情報に設定する位置情報設定部と、前記自装置の前記位置情報の信頼度に関わる信頼度関係情報を演算する信頼度関係情報演算部と、通信端末装置と通信を行う通信部と、前記自装置の前記位置情報及び前記信頼度関係情報を、前記通信部を介して前記通信端末装置に送信する情報送信部と、を備える。
【００１１】
また、本発明の一態様の表示プログラムは、複数の画像形成装置の位置情報、及び前記画像形成装置の前記位置情報の信頼度に関わる信頼度関係情報を収集する処理と、収集された前記信頼度関係情報を判定基準と比較することにより、前記画像形成装置の前記位置情報の信頼度を判定する処理と、前記画像形成装置の前記位置情報の信頼度の判定結果及び前記画像形成装置の前記位置情報を反映させた、複数の前記画像形成装置の位置関係に関する二次元情報を生成する処理と、前記二次元情報を表示する処理を、通信端末装置が備えるコンピュータに実行させる表示プログラムである。
【００１２】
また、本発明の一態様の位置情報送信プログラムは、入力された位置情報を自装置の位置情報に設定する処理と、前記自装置の前記位置情報の信頼度に関わる信頼度関係情報を演算する処理と、前記自装置の前記位置情報及び前記信頼度関係情報を、前記通信端末装置に送信する処理を、画像形成装置が備えるコンピュータに実行させる情報送信プログラムである。
【発明の効果】
【００１３】
本発明の少なくとも一態様は、画像形成装置に設定されている位置情報の確からしさ（信頼度）を判定し、判定結果をユーザーに通知する。したがって、ユーザーは、画像形成装置の位置情報の確からしさを知った上で利用する画像形成装置を選択できる。そのため、ユーザーがより位置情報が確からしい画像形成装置を選択して印刷を実行することができる。さらに、ユーザーが、どこに設置されている画像形成装置で印刷されたのか分からない、という不都合を軽減できる。
上記した以外の課題、構成及び効果は、以下の実施形態の説明により明らかにされる。
【図面の簡単な説明】
【００１４】
【図１】画像形成装置に位置情報を設定する方法の説明図である。
【図２】携帯端末が複数の画像形成装置から位置情報と信頼度関係情報を取得する場合の説明図である。
【図３】画像形成装置と携帯端末の第１の接続形態を示す説明図である。
【図４】画像形成装置と携帯端末の第２の接続形態を示す説明図である。
【図５】画像形成装置と携帯端末の第３の接続形態を示す説明図である。
【図６】本発明の第１の実施形態に係る画像形成装置の内部構成例を示す説明図である。
【図７】本発明の第１の実施形態に係る画像形成装置のハードウェア構成例を示すブロック図である。
【図８】本発明の第１の実施形態に係る画像形成装置の制御部の機能ブロック図である。
【図９】本発明の第１の実施形態に係る画像形成装置位置情報テーブルの内容の一例を示す説明図である。
【図１０】本発明の第１の実施形態に係る信頼度関係情報テーブルの内容の一例を示す説明図である。
【図１１】本発明の第１の実施形態に係る携帯端末のハードウェア構成例を示すブロック図である。
【図１２】本発明の第１の実施形態に係る携帯端末の制御部の機能ブロック図である。
【図１３】本発明の第１の実施形態に係る評価点テーブルの内容の一例を示す説明図である。
【図１４】本発明の第１の実施形態に係る判定結果テーブルの内容の一例を示す説明図である。
【図１５】本発明の第１の実施形態に係る画像形成装置の制御部による位置情報と信頼度関係情報の送信処理を示すフローチャートである。
【図１６】本発明の第１の実施形態に係る携帯端末の制御部による表示処理を示すフローチャートである。
【図１７】本発明の第１の実施形態に係る携帯端末の表示画面に表示される二次元情報（位置関係図）の説明図である。
【図１８】本発明の第２の実施形態に係る携帯端末の制御部による縮尺変更処理を示すフローチャートである。
【図１９】本発明の第２の実施形態に係る携帯端末の表示画面に表示される二次元情報（位置関係図）の説明図であり、図１９Ａは縮尺変更前の二次元情報、図１９Ｂは縮尺変更後の二次元情報を示す。
【図２０】本発明の第３の実施形態に係る携帯端末の制御部による表示処理を示すフローチャートである。
【図２１】本発明の第３の実施形態に係る携帯端末の表示画面に表示される二次元情報（フロアマップ）の説明図であり、図２１Ａは縮尺変更前の二次元情報、図２１Ｂは縮尺変更後の二次元情報を示す。
【図２２】本発明の第４の実施形態に係る携帯端末の制御部による表示処理を示すフローチャートである。
【図２３】携帯端末における画像形成装置を選択するためのプリンタ選択画面の例を示す説明図である。
【図２４】本発明の第４の実施形態に係る携帯端末の表示画面に表示される二次元情報（フロアマップ）の説明図である。
【図２５】本発明の第５の実施形態に係る、携帯端末における画像形成装置を選択するためのプリンタ選択画面の例を示す説明図である。
【図２６】本発明の第５の実施形態に係る、携帯端末における画像形成装置を選択するためのプリンタ選択画面の第１の変形例を示す説明図である。
【図２７】本発明の第５の実施形態に係る、携帯端末における画像形成装置を選択するためのプリンタ選択画面の第２の変形例を示す説明図である。
【図２８】本発明の第６の実施形態に係る画像形成装置の制御部によるジョブ実行の処理を示すフローチャートである。
【図２９】本発明の第６の実施形態に係る画像形成装置の制御部による更新後の位置情報を送信する処理を示すフローチャートである。
【発明を実施するための形態】
【００１５】
以下、本発明を実施するための形態の例について、添付図面を参照しながら説明する。なお、各図において実質的に同一の機能又は構成を有する構成要素については、同一の符号を付して重複する説明を省略する。
【００１６】
＜１．第１の実施形態＞
［本発明の概要］
第１の実施形態を詳細に説明するにあたり、まず図１〜図２を参照して本発明の概要を説明する。
本発明は、画像形成装置１が全地球測位システム（ＧＰＳ：Global Positioning System）の受信機などの測位手段を搭載しておらず、外部（外部装置）から位置情報を得ているため、画像形成装置１が移動などされて、実際の位置と内部で保持している位置情報が異なる可能性があることを前提とする。
【００１７】
本発明は、大きく次の３つのステップを有する。
（１）画像形成装置１に位置情報を設定する。
（２）携帯端末２が画像形成装置１の位置情報と信頼度関係情報を取得する。
（３）携帯端末２が信頼度関係情報から位置情報の信頼度を判定する。
【００１８】
（１）について
図１は、画像形成装置に位置情報を設定する方法の説明図である。
第１の設定方法は、ユーザーＵが、画像形成装置１に設けられた操作パネル１６を操作して画像形成装置１に位置情報を設定する（図１の左図）。もしくは、ユーザーＵが、携帯端末２を操作して画像形成装置１に位置情報を設定する。あるいは、パーソナルコンピュータであるクライアント端末Ｐ（図４参照）又はサーバーＳＶから画像形成装置１の位置情報を設定してもよい。
【００１９】
第２の設定方法では、画像形成装置１が、画像形成装置１の近くに存在する携帯端末２に位置情報要求コマンドを送信し（位置情報要求）、携帯端末２の現在の位置情報を問い合わせる。携帯端末２は、ＧＰＳ受信機等の現在位置を測定する測位手段を有している。携帯端末２は、画像形成装置１から送信された位置情報要求を受けると、測位手段で現在位置を測定し、この現在位置を携帯端末２の位置情報として返信する（位置情報通知）。画像形成装置１は、携帯端末２の位置情報を画像形成装置１の位置情報に設定する（図１の右図）。
【００２０】
携帯端末２は、通信端末装置の一例であり、携帯電話機、スマートフォン、タブレット型端末、又はノート型ＰＣ（Personal Computer）などのユーザーが持ち運び可能な通信端末である。また、通信端末装置としては、据え置き型のＰＣ（Personal Computer）でもよい。
【００２１】
（２）について
図２は、携帯端末が複数の画像形成装置から位置情報と信頼度関係情報を取得する場合の説明図である。信頼度関係情報は、位置情報の信頼度に関わる情報、即ち位置情報の信頼度の判定に必要な情報である。携帯端末２は、同一ネットワーク上の画像形成装置１Ａ〜１Ｃから、位置情報と、信頼度の判定に必要な情報を取得する。なお、同一ネットワーク上に限定するのは、同一ネットワーク上の画像形成装置１にマルチキャスト送信を行うためであり、必ずしも同一ネットワークに限る必要はない。以降の説明において、画像形成装置１Ａ〜１Ｃを区別しないときは画像形成装置１と記す。
【００２２】
（３）について、
携帯端末２は、取得した信頼度関係情報を元に画像形成装置１Ａ〜１Ｃに設定された位置情報の信頼度を判定する。そして、携帯端末２は、判定結果に応じて、画像形成装置１Ａ〜１Ｃの位置を表した二次元情報（位置関係図、フロアマップ等）を生成し、表示画面に表示する。
【００２３】
ここで、画像形成装置と携帯端末の接続形態の例について図３〜図５を参照して説明する。
図３は、画像形成装置と携帯端末の第１の接続形態を示す。
図３の画像形成システム３Ａでは、携帯端末２が画像形成装置１Ａ，１Ｂと無線により直接接続している。画像形成装置１Ａ，１Ｂ及び携帯端末２は、近距離無線通信手段を備える。近距離無線通信手段としては、例えばＷｉＦｉ等のＩＥＥＥ８０２．１１シリーズの通信規格に準拠した通信手段が用いられる。
【００２４】
図４は、画像形成装置と携帯端末の第２の接続形態を示す。
図４の画像形成システム３Ｂでは、ネットワークＮに画像形成装置１Ａ，１Ｂ、無線ルーターＲ１、サーバーＳＶ、及びクライアント端末Ｐが有線で接続されている。携帯端末２は、無線ルーターＲ１を通じてネットワークＮに接続することにより、画像形成装置１Ａ，１Ｂとデータ通信を行うことが可能ある。クライアント端末Ｐは、パーソナルコンピュータである。
【００２５】
図５は、画像形成装置と携帯端末の第３の接続形態を示す。
図５の画像形成システム３Ｃでは、ネットワークＮに無線ルーターＲ１，Ｒ２、サーバーＳＶ、及びクライアント端末Ｐが有線で接続されている。携帯端末２は、無線ルーターＲ１を通じてネットワークＮに接続し、画像形成装置１Ａ，１Ｂは、無線ルーターＲ２を通じてネットワークＮに接続する。即ち、携帯端末２は、無線ルーターＲ１、ネットワークＮ、及び無線ルーターＲ２を介して、画像形成装置１Ａ，１Ｂとデータ通信を行うことが可能である。
【００２６】
ネットワークの構成は、図２の形態に限定されず、図１又は図３あるいは他の形態でもよいことは勿論である。以下の説明においては、画像形成装置１と携帯端末２が、図２に示した画像形成システム３ＢのネットワークＮを通じて相互にデータ通信を行うと想定する。
【００２７】
［画像形成装置の構成］
次に、画像形成装置１の構成について説明する。
図６は、画像形成装置１の内部構成例を示す説明図である。
【００２８】
画像形成装置１は、コピー機能、スキャン機能、印刷機能等を備えた、いわゆる複合機（ＭＦＰ：Multi-Function Printer）である。コピー機能とは、原稿を光学的に読み取ってその複製画像を用紙に形成して出力する機能である。スキャン機能とは、読み取った原稿の画像データをファイルにして保存したり、ネットワークＮを通じて画像データを携帯端末２又はクライアント端末Ｐに送信したりする機能である。印刷機能とは、ネットワークＮ等を通じて外部から受信した印刷ジョブに基づいて用紙に文書や画像を形成して出力する機能である。画像形成装置１は、少なくとも印刷機能を備えていることが望ましい。
【００２９】
画像形成装置１は、静電気を用いて画像の形成を行う電子写真方式を採用しており、例えばＹ（イエロー），Ｍ（マゼンタ），Ｃ（シアン），Ｋ（ブラック）の４色のトナー画像を重ね合わせたカラー画像を形成する処理が可能である。この画像形成装置１は、自動原稿給送装置（ＡＤＦ）１５と、操作パネル１６と、給紙部１７と、画像形成部２０と、中間転写ベルト２１（像担持体）と、２次転写部２２と、定着部２３とを有する。
【００３０】
自動原稿給送装置１５は、原稿の読み取りに際して、原稿を自動給送する。そして、自動原稿給送装置２５に設けられたスキャナ４５（後述する図７を参照）は、画像形成装置１の上部プラテンガラスに置かれた原稿や、自動原稿給送装置１５で自動搬送される原稿の画像を読み取ることができる。
【００３１】
操作パネル１６は、例えば画像形成処理等のジョブの開始を指示する操作部としての機能を備えている。操作パネル１６には、ＬＣＤが設置されている。ＬＣＤにはタッチパネルが積層されており、ユーザーＵによる操作、及び各種情報の表示が可能になっている。即ち操作パネル２６は、後述する図７に示すように操作部４１と表示部４２を兼用している。
【００３２】
給紙部１７は、用紙のサイズや種類に応じて複数の用紙収納部を備える。給紙部１７では、画像形成装置１からの指示に基づいて該当する用紙収納部が選択されると、用紙収納部から用紙が取り出され、搬送路Ｃに用紙が送られる。
【００３３】
画像形成部２０は、Ｙ，Ｍ，Ｃ，Ｋの各色のトナー画像を形成するために、４つの画像形成ユニット１８Ｙ，１８Ｍ，１８Ｃ，１８Ｋを備えている。画像形成部２０は、画像形成部２０の画像形成ユニット１８Ｙ，１８Ｍ，１８Ｃ，１８Ｋの動作を制御して、Ｙ，Ｍ，Ｃ，Ｋのトナー画像を形成する。また、画像形成装置１は、搬送路Ｃに用紙を搬送するための複数のローラ（搬送ローラ）を備えている。これらのローラは、通常、ローラ対により構成される。
【００３４】
画像形成装置１は、画像形成モードにおいて、画像形成ユニット１８Ｙ，１８Ｍ，１８Ｃ，１８Ｋが有する感光体を帯電させると共に、電荷を消去して露光し、感光体に静電潜像を形成する。そして、Ｙ，Ｍ，Ｃ，Ｋの感光体の静電潜像に対し現像部を用いてトナーを付着させ、各色のトナー画像を形成する。次に、Ｙ，Ｍ，Ｃ，Ｋの感光体に形成されたトナー画像を、矢印方向へ回転する中間転写ベルト２１の表面に順次、１次転写する。
【００３５】
次に、２次転写部２２（２次転写ローラ）により、中間転写ベルト２１上に１次転写された各色のトナー画像を、給紙部１７から供給されてローラにより搬送される用紙に２次転写する。中間転写ベルト２１上の各色のトナー画像が用紙に２次転写されることにより、カラー画像が形成される。２次転写部２２は、カラーのトナー画像が形成された用紙を、定着部２３へ搬送する。
【００３６】
定着部２３は、カラーのトナー画像が形成された用紙に定着処理を行う装置である。定着部２３は、搬送された用紙を加圧及び加熱して、転写されたトナー画像を用紙に定着させる。定着部２３は、例えば、定着部材である定着上ローラ及び定着下ローラで構成されている。定着上ローラ及び定着下ローラは、互いに圧接した状態で配置されており、定着上ローラと定着下ローラとの圧接部として定着ニップ部が形成される。
【００３７】
定着上ローラの内部には、不図示の加熱部が設けられている。この加熱部からの輻射熱により定着上ローラの外周部にあるローラ部が温められる。用紙は、２次転写部２２によりトナー画像が転写された面（定着対象面）が定着上ローラと向き合うように定着ニップ部に搬送される。定着ニップ部を通過する用紙には、定着上ローラと定着下ローラとによる加圧と、定着上ローラのローラ部の熱による加熱が行われる。定着部２３により定着処理が行われた用紙は、排紙トレイ２４に排出される。
【００３８】
なお、本実施形態において、カラー画像を形成する画像形成装置１を例示したが、モノクロ画像を形成する画像形成装置を用いてもよい。
【００３９】
次に、画像形成装置１の制御系を説明する。
図７は、画像形成装置１のハードウェア構成例を示すブロック図である。
【００４０】
画像形成装置１は、携帯端末２から発行されたジョブを記憶する。そして、画像形成装置１は、携帯端末２が画像形成装置１のすぐ近くに存在するときの携帯端末２の位置情報を、自身の位置情報に設定する。
【００４１】
画像形成装置１は、画像形成装置１の動作を統括的に制御する制御部３０を備える。制御部３０は、ＣＰＵ（Central Processing Unit）３１、ＲＯＭ（Read Only Memory）３２、及びＲＡＭ（Random Access Memory）３３を備え、ＣＰＵ３１によって各種の処理を実行する。
【００４２】
ＣＰＵ３１は、ＲＯＭ３２及びＲＡＭ３３の他に、不揮発メモリ３４、ハードディスク装置３５、ネットワークコントローラ３６、近距離無線通信部３７、操作パネル１６、印刷インタフェース４３、読み取りインタフェース４４等が接続されている。印刷インタフェース４３には、画像形成部２０が接続されている。読み取りインタフェース４４には、スキャナ４５が接続されている。
【００４３】
ＣＰＵ３１は、ＯＳ（Operating System）プログラムをベースとし、その上で、ミドルウェアやアプリケーションプログラム等のプログラムを実行する。ＣＰＵ３１によって実行される各部の処理については後述する。
【００４４】
ＲＯＭ３２には、各種のプログラムが格納されており、これらのプログラムに従ってＣＰＵ３１が処理を実行することで携帯端末２の各機能が実現される。
【００４５】
ＲＡＭ３３は、ＣＰＵ３１がプログラムを実行する際に各種のデータを一時的に格納するワークメモリとして使用される。また、ＲＡＭ３３には、画像形成装置１が取得したジョブが一時的に格納される。
【００４６】
不揮発メモリ３４には、例えば半導体メモリが用いられ、各種の設定情報等が保存される。不揮発メモリ３４には、一例として後述する画像形成装置位置情報テーブル５３（図９）、信頼度関係情報テーブル５６（図９参照）が格納される。
【００４７】
ハードディスク装置３５は、大容量の記憶装置であり、ハードディスク装置３５には、ネットワークコントローラ３６が受信したジョブの出力設定及び画像データ等が保存される。画像形成装置位置情報テーブル５３は、ハードディスク装置３５に格納されてもよい。
【００４８】
ネットワークコントローラ３６（第１の通信部の例）は、制御部３０の制御により、ネットワークＮと有線により通信を行う。
【００４９】
近距離無線通信部３７は、アンテナ３７ａを介して、ＷｉＦｉ等を用いた近距離無線通信により、無線ルーターＲ２を通じて携帯端末２との間で相互に通信を行う（図５参照）。
【００５０】
操作パネル１６は、操作部４１と表示部４２を備える。
操作部４１は、スタートボタン等の各種操作スイッチ、表示部４２の表示面上に設けられたタッチパネル等で構成される。ユーザーＵは、操作部４１を用いて、画像形成装置１に対する指示（印刷指示等）を行う。タッチパネルは、タッチペンや指等で押下された座標位置を検出する。操作部４１として、タッチパネルの他に、操作キーを用いてもよい。
表示部４２は、液晶ディスプレイ（ＬＣＤ）等で構成され、各種の操作画面、設定画面等を表示する機能を果たす。
【００５１】
印刷インタフェース４３には、画像形成部２０が接続されており、制御部３０で作成されたジョブの画像データが画像形成部２０に送信される。
画像形成部２０は、制御部３０の制御により、受信したジョブに基づいて画像を用紙に形成する画像形成処理を行う。画像形成部２０が実行するジョブは、携帯端末２から送信されて画像形成装置１画像形成装置１（例えばハードディスク装置３５）に蓄積されたものでもよいし、サーバーＳＶに蓄積されたものでもよい。
【００５２】
読み取りインタフェース４４には、原稿を光学的に読み取って画像データを取得する機能を果たすスキャナ４５が接続されている。
スキャナ４５は、例えば、ラインイメージセンサと、移動ユニットと、光学経路と、データ変換部等を備えて構成される。ラインイメージセンサは、原稿に光を照射する光源と、その反射光を受けて原稿を幅方向に１ライン分読み取る。移動ユニットは、ライン単位の読取位置を原稿の長さ方向に順次移動させる。光学経路は、原稿からの反射光をラインイメージセンサに導いて結像させるレンズやミラー等からなる。データ変換部は、ラインイメージセンサの出力するアナログ画像信号をデジタルの画像データに変換する。
【００５３】
電源４６は、画像形成装置１の各部に電源を供給する。メインスイッチ４７は、画像形成装置の外周部の任意の位置に設けられた、電源４６をオン・オフする電源スイッチである。
【００５４】
次に、画像形成装置１の制御部３０の機能を説明する。
図８は、画像形成装置１の制御部３０の機能ブロック図である。制御部３０のＣＰＵ３１が、ＲＯＭ３２に格納されたプログラムを実行することにより、図８に示す制御部３０の各部の機能が実現される。
【００５５】
制御部３０は、位置情報設定部５１、時計部５２、画像形成装置位置情報テーブル５３、信頼度関係情報演算部５４、電源検知部５５、信頼度関係情報テーブル５６、及び情報送信部５７を有する。画像形成装置位置情報テーブル５３及び信頼度関係情報テーブル５６は、制御部３０を構成するＲＡＭ３３上に一時的に展開される。
【００５６】
位置情報設定部５１は、携帯端末２に位置情報要求コマンドを出力して位置情報を問い合わせ、携帯端末２から通知された位置情報を受信し、ＲＡＭ３３に一時的に保存する。このとき、携帯端末２は、位置情報に加えて少なくとも送信元を識別する情報（一例として画像形成装置１の名称、ＭＡＣアドレスなど）を送信する。位置情報設定部５１による位置情報の問い合わせは、例えば画像形成装置１に所定のイベント（ジョブ実行等のユーザー操作等）が発生したときに行われる。そして、位置情報設定部５１は、取得した携帯端末２の位置情報を設定日時とともに画像形成装置位置情報テーブル５３（後述する図９を参照）に記録し、画像形成装置１の位置情報として設定する。このような位置情報の設定方法は、図１の右図に対応する。
【００５７】
図１の左図における設定方法では、位置情報設定部５１は、ユーザーＵの操作により操作パネル１６から入力される位置情報を画像形成装置１の位置情報として設定する。また、ユーザーＵが携帯端末２等を操作して画像形成装置１に位置情報を入力する場合も同様である。
【００５８】
時計部５２は、日時を計時するものであり、現在の日時を位置情報設定部５１及び信頼度関係情報演算部５４へ出力する。時計部５２には、例えばＲＴＣ（Real Time Clock）が用いられる。位置情報設定部５１は、時計部５２から通知された現在の日時を設定日時として、設定日時とともに携帯端末２の位置情報を画像形成装置位置情報テーブル５３に記録する。
【００５９】
画像形成装置位置情報テーブル５３は、位置情報設定部５１により設定された画像形成装置１の位置情報（後述する図９を参照）を格納する。画像形成装置位置情報テーブル５３は、不揮発メモリ３４又はハードディスク装置３５に構築される。画像形成装置位置情報テーブル５３の詳細については、後述する。
【００６０】
信頼度関係情報演算部５４は、画像形成装置１の位置情報の確からしさを表す信頼度に関わる信頼度関係情報を演算し、信頼度関係情報テーブル５６（後述する図１０を参照）に記録する。信頼度関係情報演算部５４は、画像形成装置１の位置情報の設定日時、時計部５２から出力される現在の日時、及び電源検知部５５の検知結果を使用して、図１０に示す各信頼度関係情報に関する回答を演算し記録する。
【００６１】
電源検知部５５は、電源４６のオン状態又はオフ状態を検知し、検知結果を信頼度関係情報演算部５４へ通知する。
【００６２】
信頼度関係情報テーブル５６は、信頼度関係情報演算部５４により演算された信頼度関係情報（後述する図１０を参照）を格納する。信頼度関係情報テーブル５６は、不揮発メモリ３４又はハードディスク装置３５に構築される。信頼度関係情報テーブル５６の詳細については、後述する。
【００６３】
情報送信部５７は、携帯端末２から画像形成装置１の位置情報及び信頼度関係情報の取得要求を受信した場合には、画像形成装置１の位置情報及び信頼度関係情報を、近距離無線通信部３７を介して携帯端末２に送信する。
【００６４】
（画像形成装置位置情報テーブル）
ここで、画像形成装置位置情報テーブル５３について説明する。図９は、画像形成装置位置情報テーブル５３の内容の一例を示す。
画像形成装置位置情報テーブル５３は、画像形成装置１の名称、位置情報、設定日時の各フィールドを有する。
【００６５】
名称フィールドは、位置情報を送信した画像形成装置１の名称が格納される。識別情報は、位置情報を送信した画像形成装置１をネットワークＮ上で一意に識別できればよいから、名称の他に、ＭＡＣアドレス、ＩＰ（Internet Protocol）ネットワークのＩＰアドレス、電話番号、電子メールアドレスなどの識別情報でもよい。
【００６６】
画像形成装置位置情報フィールドには、画像形成装置１の位置情報に設定された位置情報が格納される。携帯端末位置情報フィールドは、緯度、経度、及び高度のサブフィールドを備える。
【００６７】
設定日時フィールドには、画像形成装置１に位置情報を設定したときの日付と時刻が格納される。本実施形態では、位置情報設定部５１が位置情報を設定した日時を設定日時としているが、これに限られない。設定日時は、携帯端末２が位置情報を測定した日時（測定日時）、携帯端末２が位置情報を送信した日時（送信日時）、又は画像形成装置１が携帯端末２の位置情報を取得した日時（取得日時）でもよい。
【００６８】
図９の一番目のレコードには、画像形成装置１の名称として‘ＭＦＰ１’、携帯端末位置情報として‘緯度Ａ１、経度Ｂ１、高度Ｃ１’、設定日時として‘Ｄ１’、が格納されている。二番目のレコードには名称‘ＭＦＰ２’の画像形成装置１のレコード、三番目のレコードには名称‘ＭＦＰ３’の画像形成装置１のレコード、そして四番目のレコードには、名称‘ＭＦＰ４’の画像形成装置１のレコードが記録されている。
【００６９】
（信頼度関係情報テーブル）
ここで、信頼度関係情報テーブル５６について説明する。図１０は、信頼度関係情報テーブル５６の内容の一例を示す。
信頼度関係情報テーブル５６は、画像形成装置１の名称、信頼度関係情報のフィールドを有する。図１０では、信頼度関係情報として、第１の情報フィールド５６ａ、第２の情報フィールド５６ｂ、第３の情報フィールド５６ｃを有する。
【００７０】
第１の情報フィールド５６ａには、画像形成装置の電源が投入されてから当該画像形成装置の位置情報が更新されているかどうかを示す第１の情報が記録される。電源検知部５５で電源４６がオフ状態からオン状態になったことを検知してから位置情報が更新された場合には、信頼度関係情報演算部５４は第１の情報フィールド５６ａに‘ＹＥＳ’と記録し、そうでない場合には‘ＮＯ’と記録する。
【００７１】
第２の情報フィールド５６ｂには、画像形成装置の位置情報が最後に更新されてからの経過時間の長短を示す第２の情報が記録される。前回位置情報が更新されたときの設定日時から現在の日時までの時間（更新経過時間）が所定の時間（閾値）よりも短い場合には、信頼度関係情報演算部５４は第２の情報フィールド５６ｂに‘短い’と記録し、そうでない場合には‘長い’と記録する。
【００７２】
第３の情報フィールド５６ｃには、電源４６の直近の投入時刻が予め設定された時刻であるかどうかを示す第３の情報が記録される。信頼度関係情報演算部５４は、電源検知部５５の検知結果に基づき、直近の電源４６の状態がオフからオンに切り替わった時刻が、予め設定された毎日の決められた時刻であるかどうかを判定する。直近の電源４６の状態がオフからオンに切り替わった時刻が、予め設定された時刻である場合には、信頼度関係情報演算部５４は第３の情報フィールド５６ｃに‘ＹＥＳ’と記録し、そうでない場合には‘ＮＯ’と記録する。
【００７３】
電源のオン・オフの状態を信頼度関係情報に反映させたのは次のような理由による。スリープ状態を含む電源が少しでも入っている間は、少なくともコンセントが繋がっている状態なので、画像形成装置１を移動していることはないと推測される。しかし、「電源をオフ」されてしまった場合、次に電源オンするまでの間に、画像形成装置１を移動されているかもしれないため、信頼度が低いと考えられる。このため、電源オン後に位置情報を更新していれば、即、信頼度が高いと判断してもよい（第１の情報フィールド５６ａの優先度を他よりも上げておく）。
【００７４】
図１０の例では、画像形成装置１の名称が‘ＭＦＰ１’のレコードは、第１の情報が‘ＮＯ’、第２の情報が‘短い’、第３の情報が‘ＹＥＳ’である。また画像形成装置１の名称が‘ＭＦＰ２’のレコードは、第１の情報が‘ＮＯ’、第２の情報が‘短い’、第３の情報が‘ＮＯ’である。画像形成装置１の名称が‘ＭＦＰ３’のレコードは、第１の情報が‘ＹＥＳ’、第２の情報が‘短い’、第３の情報が‘ＮＯ’である。そして、画像形成装置１の名称が‘ＭＦＰ４’のレコードは、第１の情報が‘ＮＯ’、第２の情報が‘長い’、第３の情報が‘ＹＥＳ’である。
【００７５】
これら信頼度関係情報の第１の情報、第２の情報、第３の情報の内容が携帯端末２に格納された判定基準と比較されて、画像形成装置の位置情報の信頼度が判定される。図１０では、信頼度関係情報として３種類の情報を取得しているが、これらの３種類のうち少なくとも１以上の情報を含んでいればよい。例えば第１の情報フィールド５６ａの第１の情報のみ、あるいは第１の情報フィールド５６ａの第１の情報と第２の情報フィールド５６ｂの第２の情報を取得してもよい。
【００７６】
［携帯端末の構成］
図１１は、携帯端末２のハードウェア構成例を示すブロック図である。
携帯端末２は、制御部６０、不揮発メモリ６４、無線通信部６５、アンテナ６５ａ、近距離無線通信部６６、アンテナ６６ａ、表示パネル６７、タッチパネル６８、位置測定部６９、及び高度計７０を備える。
【００７７】
制御部６０は、ＣＰＵ６１、ＲＯＭ６２、及びＲＡＭ６３を備え、携帯端末２の動作を統括的に制御する。制御部６０は、ＣＰＵ６１によって各種の処理を実行する。制御部６０は、画像形成装置１に実行させるジョブを生成するジョブ生成部としても機能する。
【００７８】
ＣＰＵ６１は、ＯＳ（Operating System）プログラムをベースとし、その上で、ミドルウェアやアプリケーションプログラム等のプログラムを実行する。ＣＰＵ６１によって実行される各部の処理については後述する。
【００７９】
ＲＯＭ６２には、各種のプログラムが格納されており、これらのプログラムに従ってＣＰＵ６１が処理を実行することで携帯端末２の各機能が実現される。
【００８０】
ＲＡＭ６３は、ＣＰＵ６１がプログラムを実行する際に各種のデータを一時的に格納するワークメモリとして使用される。
【００８１】
不揮発メモリ６４は例えば半導体メモリが用いられ、不揮発メモリ６４に各種の設定が保存される。
【００８２】
無線通信部６５は、アンテナ６５ａを介して携帯電話網等の無線基地局に接続し、無線基地局を介して広域ネットワークと通信を行う。
【００８３】
近距離無線通信部６６（第２の通信部の例）は、アンテナ６６ａを介して、携帯端末２を中心とする一定の範囲内にいる通信機器と通信を行う。近距離無線通信部６６は、ＷｉＦｉ等の通信規格に準拠した近距離無線通信により、ネットワークＮに接続された無線ルーターＲ１に接続し、無線ルーターＲ１を介してネットワークＮ上の画像形成装置１との間で相互に通信を行う。近距離無線通信部６６は、例えば無線ＬＡＮ（Local Area Network）チップを用いて構成され、ネットワーク上で通信機器を一意に識別するためのＭＡＣ（Media Access Control address）アドレスが割り当てられている。ＭＡＣアドレスは、物理アドレスとも呼ばれ、ＭＡＣアドレスにより携帯端末２が識別される。近距離無線通信部６６は、外部通信機器にデータ送信するとき、送信データに送信元の情報としてＭＡＣアドレスを付加して送信する。
【００８４】
表示パネル６７（表示部の例）は、液晶ディスプレイ（ＬＣＤ：Liquid Crystal Display）等で構成され、各種の操作画面、設定画面等を表示する機能を果たす。
【００８５】
タッチパネル６８は、表示パネル６７の表示面上に設けられており、タッチペンや指等で押下された座標位置を検出する。また、タッチパネル６８は、フリック操作、ドラッグ操作、スクロールバーに対する操作等を検出する。
【００８６】
位置測定部６９は、複数のＧＰＳ衛星からの電波を受信して、携帯端末２の現在の緯度、経度及び高度を測定するＧＰＳ受信機である。位置測定部６９は、ＧＰＳ衛星が発信する電波に含まれる時刻データから、現在位置を測定したときの時刻（測定日時）を得る。
【００８７】
高度計７０は、携帯端末２が現在いる場所の標高（高度）を測定するための機器であり、一例として気圧高度計が用いられる。高度計７０も、位置測定部の一例である。なお、位置測定部６９が複数のＧＰＳ衛星からの電波を利用して十分な精度の高度を測定できる場合には、高度計７０を不要とすることができる。
【００８８】
携帯端末２の制御部６０は、画像形成装置１からの位置情報要求に応じて近距離無線通信部６６により、位置情報及び測定日時とともに近距離無線通信部６６のＭＡＣアドレスを画像形成装置１へ通知する。以降の説明において、携帯端末２が位置情報、測定日時、及びＭＡＣアドレスを通知することを、「位置情報を通知する」と記載する。
【００８９】
本実施形態では、携帯端末２は、近距離無線通信部６６により無線ルーターＲ１を介してネットワークＮに接続したが、携帯端末２は、無線通信部６５により無線基地局及びネットワークＮを介して、画像形成装置１に接続してもよい。この場合、携帯端末２は、無線通信部６５のＭＡＣアドレスを、位置情報及び測定日時とともに通知する。また、本実施形態では画像形成システム３Ｂを想定しているが、システム構成が画像形成システム３Ａの場合には、携帯端末２は画像形成装置１との間で無線により直接、ジョブ発行、位置情報要求、位置情報通知等を行ってもよい。
【００９０】
なお、通信端末装置の一例でもあるクライアント端末Ｐ及びサーバーＳＶも、携帯端末２と同様の構成を有する。ただし、各装置において図１１のブロック構成のうち不要なブロックは削除することができる。
【００９１】
次に、携帯端末２の制御部６０の機能を説明する。
図１２は、携帯端末２の制御部６０の機能ブロック図である。制御部６０のＣＰＵ６１が、ＲＯＭ６２に格納されたプログラムを実行することにより、図１２に示す制御部６０の各部の機能が実現される。
【００９２】
制御部６０は、情報収集部７１、信頼度判定部７３、評価点テーブル７４、判定結果テーブル７５、表示制御部７６、画像データメモリ７７、及びジョブ生成部７８を有する。
【００９３】
情報収集部７１は、複数の画像形成装置１の位置情報、及び該位置情報の信頼度関係情報を、近距離無線通信部６６を介して収集する制御を行う。
【００９４】
信頼度判定部７３は、情報収集部７１により収集された信頼度関係情報に基づいて、画像形成装置１に設定された位置情報の信頼度を判定する。より具体的には、信頼度判定部７３は、信頼度関係情報テーブル５６（図１０）の各信頼度関係情報フィールドの内容と、評価点テーブル７４（後述する図１３参照）の各評価点フィールドの内容を突き合わせ、その結果を元に、信頼度関係情報フィールドごとに評価点を算出する。そして、信頼度判定部７３は、その評価点を判定結果として判定結果テーブル７５に記録する。
【００９５】
ここで、評価点テーブル７４について説明する。図１３は、評価点テーブル７４の内容の一例を示す。
評価点テーブル７４には、信頼度関係情報の内容に応じて付与される評価点の情報が格納されている。第１の評価点フィールド７４ａには、信頼度関係情報テーブル５６の第１の情報フィールド５６ａに対応する評価点が格納されている。ここでは、画像形成装置１の電源が投入されてから画像形成装置１の位置情報が更新された場合（ＹＥＳの場合）には、信頼度が高いとして７０点が付与される。
【００９６】
第２の評価点フィールド７４ｂには、信頼度関係情報テーブル５６の第２の情報フィールド５６ｂに対応する評価点が格納されている。ここでは、画像形成装置１の位置情報が最後に更新されてからの経過時間が所定の時間より短い場合には、信頼度が高いとして２０点が付与される。
【００９７】
第３の評価点フィールド７４ｃには、信頼度関係情報テーブル５６の第３の情報フィールド５６ｃに対応する評価点が格納されている。ここでは、電源４６の直近の投入時刻が予め設定された時刻である場合（ＹＥＳの場合）には、信頼度が高いとして１０点が付与される。
【００９８】
そして、第１〜第３の評価点フィールド７４ａ〜７４ｃの評価点の合計が、信頼度フィールドに記録される。この信頼度フィールドに記録された評価点が高いほど、評価対象の画像形成装置１の位置情報の信頼度が高いと判断される。即ち、画像形成装置１の位置情報の確からしさが高いと言える。
【００９９】
図１４は、判定結果テーブル７５の内容の一例を示す。
判定結果テーブル７５は、信頼度判定部７３による判定結果が画像形成装置１ごとに記録される。判定結果テーブル７５は、名称と信頼度のフィールドを有する。
信頼度フィールドには、画像形成装置１の名称ごとに、各信頼度関係情報についての評価点の合計が信頼度として記録される。
【０１００】
なお、信頼度判定部７３は、画像形成装置１から送信された信頼度関係情報テーブル５６に含まれる情報のうち１以上の情報に基づいて、画像形成装置１の位置情報の信頼度を判定するようにしてもよい。即ち、画像形成装置１から送信された収集した全ての信頼度関係情報について信頼度を評価しなくてもよい。例えば、上記のとおり、電源オン後に位置情報を更新していれば、即、信頼度が高いとする運用も考えられ、この場合は、第１の評価点フィールド７４ａのみを使用して信頼度の判定を行う。
【０１０１】
表示制御部７６は、信頼度判定部７３による判定結果及び画像形成装置１の位置情報を反映させた、少なくとも画像形成装置１の位置関係に関する二次元情報（表示データ）を生成し、表示パネル６７に出力する。即ち、表示制御部７６は、情報収集部７１から画像形成装置１の位置情報を取得するとともに、判定結果テーブル７５から画像形成装置１ごとに評価点を読み出し、さらに画像データメモリ７７に格納された画像データを用いて、画像形成装置１の位置とその信頼度の情報を含む二次元情報を作成する。また、表示制御部７６は、信頼度判定部７３による判定結果を元に、二次元情報の表示態様（一例として縮尺）を変更する。
【０１０２】
表示パネル６７は、表示制御部７６から供給された二次元情報を表示画面に表示する。
【０１０３】
画像データメモリ７７は、表示制御部７６が二次元情報を作成する際に用いる画像データが格納されている。画像データメモリ７７として、不揮発メモリ６４が用いられる。画像データメモリ７７には、例えば携帯端末２と複数の画像形成装置１との位置関係を示す位置関係図（後述する図１７参照）の画像データが記憶される。また画像データメモリ７７には、例えば建造物内の画像形成装置１が設置された階の一部又は全部を表した地図であるフロアマップ（後述する図２１参照）の画像データが記憶される。画像データメモリ７７に記憶されている位置関係図やフロアマップは、デフォルト設定である。
【０１０４】
なお、本実施形態において、二次元情報は二次元データ（two-dimensional data）と同義とする。二次元データとは、１つの観測対象に対して、２つの観測値（情報）が与えられているとき、このようなデータを二次元データと呼ぶ。本実施形態に係る二次元情報（表示データ）では、観測対象の画像形成装置１に対して、位置情報と信頼度という２つの情報が与えられている。したがって、後述するプリンタ選択画面（図２５〜図２７参照）のように、画像形成装置１の位置情報と信頼度が含まれるものは二次元情報である。
【０１０５】
ジョブ生成部７８は、タッチパネル６８からの操作信号に基づいてジョブを生成する。ジョブ生成部７８は、プリンタ選択画面（図２３等参照）で選択された画像形成装置に対するジョブを生成し、近距離無線通信部６６を介して画像形成装置１へ出力する。ジョブの実行を指示された画像形成装置１は、ジョブに含まれる出力設定に従って、ジョブに含まれる出力データに基づく画像を用紙に形成する処理等を実行する。
【０１０６】
［画像形成装置（制御部）の動作］
次に、画像形成装置１の制御部３０の動作について図１５を参照して説明する。
【０１０７】
図１５は、画像形成装置１の制御部３０による位置情報と信頼度関係情報の送信処理を示すフローチャートである。制御部３０のＣＰＵ３１が、ＲＯＭ３２に格納されたプログラムを実行することにより、図１５に示す処理が実現される。
【０１０８】
まず制御部３０の位置情報設定部５１は、携帯端末２から位置情報と信頼度関係情報の取得要求を受信したかどうかを判定する（Ｓ１）。ここで、取得要求を受信していない場合には、位置情報設定部５１は、取得要求の監視を継続する（Ｓ１のＮＯ）。
【０１０９】
次に、取得要求を受信した場合には（Ｓ１のＹＥＳ）、情報送信部５７は、画像形成装置位置情報テーブル５３に記録された画像形成装置１（自装置）の位置情報と、信頼度関係情報テーブル５６に記録された信頼度関係情報とを、ネットワークコントローラ３６を介して携帯端末２へ送信する（Ｓ２）。制御部４０は、この処理が終了した後、図１５のフローチャートを終了する。
【０１１０】
［携帯端末（制御部）の動作］
次に、携帯端末２の制御部６０の動作について図１６を参照して説明する。
【０１１１】
図１６は、携帯端末の制御部６０による表示処理を示すフローチャートである。制御部６０のＣＰＵ６１が、ＲＯＭ６２に格納されたプログラムを実行することにより、図１６に示す処理が実現される。
【０１１２】
まず制御部６０の情報収集部７１は、同一ネットワークＮ上の画像形成装置１に対し、位置情報と信頼度関係情報（信頼度関係情報テーブル５６）を要求する（Ｓ１１）。
【０１１３】
次に、情報収集部７１は、画像形成装置１から位置情報と信頼度関係情報を受信したかどうかを判定する（Ｓ１２）。ここで、位置情報と信頼度関係情報を受信していない場合には、情報収集部７１は、これらの情報の受信の監視を継続する（Ｓ１２のＮＯ）。
【０１１４】
次に、画像形成装置１から位置情報と信頼度関係情報を受信した場合には（Ｓ１２のＹＥＳ）、信頼度判定部７３は、信頼度関係情報から位置情報の信頼度を判定する（Ｓ１３）。判定結果は判定結果テーブル７５に記録される。
【０１１５】
そして、表示制御部７６は、信頼度判定部７３の判定結果に基づいて、同一ネットワークＮ上にある画像形成装置１の位置情報と信頼度の情報を含む二次元情報を表示パネル６７に表示する（Ｓ１４）。制御部６０は、この処理が終了した後、図１６のフローチャートを終了する。
【０１１６】
図１７は、携帯端末２の表示画面に表示される二次元情報（位置関係図８５）の説明図である。
携帯端末２の表示パネル６７の表示画面８０には、二次元情報としてレーダー表示器で使用されるＰＰＩスコープ（Plan Position Indicator scope）と呼ばれる表示態様の平面座標指示画面が表示されている。この平面座標指示画面においては、信頼度の判定結果を色の濃さで表す。例えば信頼度（確からしさ）の高い画像形成装置の位置を表す記号を濃い色で表示し、信頼度の低い画像形成装置の位置を表す記号を薄い色で表示する。ここでは、デフォルト設定の縮尺は、少なくとも位置情報の信頼度が高い画像形成装置の位置を表す記号が表示画面に表示される縮尺であるとする。
【０１１７】
図１７において、携帯端末２の現在位置を基点８６（所定の位置：例えば画面中央）として、その周囲に画像形成装置１が表示される。図１７では、位置８１にＭＦＰ１、ＭＦＰ１と近い位置８２にＭＦＰ２，携帯端末２を挟んでＭＦＰ１と反対側のほぼ等距離の位置８４にＭＦＰ４が配置されている。位置８３のＭＦＰ３は、他のＭＦＰ１，２，４よりも信頼度が高く濃い色で表示されているが、携帯端末２からの距離がもっとも離れている。
【０１１８】
図１７のような携帯端末２の位置を基点とした携帯端末２と複数の画像形成装置１との位置関係を示す位置関係図８５の表示は、携帯端末２が位置測定部６９を備えている又は携帯端末２の位置を推定する代替方法がある場合に限られる。携帯端末２が位置測定部６９を搭載していれば、地図情報が無くても、携帯端末２から見てどの方向のどれだけの距離に画像形成装置が存在するかが分かる。
【０１１９】
なお、信頼度に基づく画像形成装置の位置を表す記号を、色の濃さではなく、「高・中・低」といった文字や、信頼度の高さを数値（例えば評価点）で表現してもよい。例えば、判定結果テーブル７５の評価度フィールドの評価点が、８０点以上なら信頼度高、７９点〜２１点なら信頼度中、２０点以下を信頼度低のように設定してもよい。
【０１２０】
上述した第１の実施形態によれば、画像形成装置１に設定されている位置情報の確からしさ（信頼度）を判定し、判定結果をユーザーＵに通知する。したがって、ユーザーＵは、画像形成装置１の位置情報の確からしさを知った上で利用する画像形成装置１を選択できる。そのため、ユーザーＵがより位置情報が確からしい画像形成装置１を選択して印刷を実行することができる。
また、ユーザーＵが、どこに設置されている画像形成装置１で印刷されたのか分からない、という不都合を軽減できる。
【０１２１】
なお、本実施形態では、二次元情報としてレーダー表示器で使用されるＰＰＩスコープと呼ばれる表示態様の平面座標指示画面を表示したが、この例に限らない。例えば、後述する図２１に示すようなフロアマップを、あるデフォルト設定の縮尺で表示してもよい。
【０１２２】
＜２．第２の実施形態＞
第２の実施形態は、携帯端末２が、信頼度判定部７３による判定結果を元に、二次元情報の表示態様（例えば縮尺）を変更して表示する例である。即ち、画像形成装置１の位置情報の確からしさを判定し、画像形成装置１の検索結果に確からしさの高い画像形成装置１が入るようにする。
【０１２３】
図１８は、携帯端末２の制御部６０による縮尺変更処理を示すフローチャートである。
まず制御部６０の表示制御部７６は、携帯端末２自身の位置を画面中央として、同一ネットワークＮ上の画像形成装置１について、信頼度の高い画像形成装置１の位置を表す記号は濃い色、信頼度の低い画像形成装置１の位置を表す記号は薄い色でＲＡＭ６３上に展開する（Ｓ２１）。
【０１２４】
次に、ＲＡＭ６３上に展開した画像情報（位置関係図）を、信頼度の高い画像形成装置１が表示パネル６７の表示画面８０に表示される縮尺に変更して、表示画面８０に表示する（Ｓ２２）。制御部６０は、この処理が終了した後、図１８のフローチャートを終了する。
【０１２５】
図１９は、携帯端末２の表示画面８０に表示される二次元情報（位置関係図）の説明図であり、図１９Ａは縮尺変更前の位置関係図、図１９Ｂは縮尺変更後の位置関係図を示す。
図１９Ａの位置関係図８５´では、縮尺が大きいために信頼度の低いＭＦＰ１，２，４が表示画面８０に表示されているが、信頼度の高いＭＦＰ３が表示されていない。表示制御部７６が位置関係図８５の縮尺を小さくしたことにより、ＭＦＰ３も表示画面８０に表示されている。
【０１２６】
上述した第２の実施形態によれば、位置情報の確からしさが高い画像形成装置１が表示画面８０に表示されるように位置関係図８５の縮尺を変更して表示することにより、ユーザーＵはより位置情報が確からしい画像形成装置１を選択して印刷を実行することができる。それにより、第１の実施形態と同様に、ユーザーＵが、どこに設置されている画像形成装置１で印刷されたのか分からない、という不都合を軽減できる。
【０１２７】
＜３．第３の実施形態＞
第３の実施形態は、位置測定部６９を搭載していない携帯端末２に、二次元情報を表示する例である。本実施形態では、例えば建造物内の画像形成装置１が設置された階の一部又は全部を表した地図であるフロアマップを表示する。フロアマップの画像データには、位置情報が埋め込まれている。フロアマップの画像データに埋め込まれた位置情報は、画像形成装置１に設定された位置情報と同じ座標系（地理座標系：緯度、経度、高度）とする。
【０１２８】
図２０は、携帯端末２の制御部６０による表示処理を示すフローチャートである。
まず制御部６０の表示制御部７６は、画像データメモリ７７からフロアマップを読み出し、ＲＡＭ６３上に展開する（Ｓ３１）。
【０１２９】
次に、表示制御部７６は、フロアマップ上の画像形成装置１が存在する位置に記号（印）を付ける（Ｓ３２）。
【０１３０】
そして、表示制御部７６は、ＲＡＭ６３上に展開したフロアマップを、信頼度の高い画像形成装置１が表示パネル６７の表示画面８０に表示される縮尺に変更して、表示画面８０に表示する（Ｓ３３）。制御部６０は、この処理が終了した後、図２０のフローチャートを終了する。
【０１３１】
図２１は、携帯端末２の表示画面８０に表示される二次元情報（フロアマップ）の説明図であり、図２１Ａは縮尺変更前のフロアマップ、図２１Ｂは縮尺変更後のフロアマップを示す。
図２１Ａのフロアマップ９５´では、縮尺が大きいために位置９１，９２に存在する信頼度の低いＭＦＰ１，２が表示画面８０に表示されているが、信頼度の高いＭＦＰ３が表示されていない。表示制御部７６がフロアマップ９５の縮尺を小さくしたことにより、ＭＦＰ３も表示画面８０に表示されている。
【０１３２】
上述した第３の実施形態によれば、第２の実施形態と同様の効果を奏する。また第３の実施形態によれば、フロアマップのような画像形成装置１の位置関係のみを表した二次元情報を表示し、携帯端末２を基点とする二次元情報の表示を行わない。そのため、位置測定部６９を搭載していない携帯端末２でも、ユーザーＵは、画像形成装置１の位置情報とその確からしさを確認することができる。
【０１３３】
［第３の実施形態の変形例］
上述した第３の実施形態において、二次元情報として画像形成装置１の位置関係のみを表したフロアマップ９１，９１´について説明したが、フロアマップ９１，９１´に携帯端末２の位置を示す記号を配置してもよい。例えば、携帯端末２が位置測定部６９を備えている又は携帯端末２の位置を推定する代替方法がある場合には、携帯端末２が測定した位置情報に基づいて、フロアマップ９１，９１´に携帯端末２の位置を示す記号を表示する。ここでは、携帯端末２の位置を基点とした表示は行わないものとするが、携帯端末２の位置を基点（画面中央）に表示することは可能である。
【０１３４】
携帯端末２の位置を推定する方法として、ＷｉＦｉ（登録商標）等の近距離無線通信を利用して携帯端末２の位置を推定する方法がある。画像形成システムが、ネットワークＮに接続された複数の無線ルーター（アクセスポイント）等のＳＳＩＤ（Service Set Identifier）と位置情報とを対応付けた位置情報データベースを持っている。そして、位置情報データベースを用いて、アクセスポイントから電波の届く範囲にいる携帯端末２のおおよその位置（範囲）を、そのアクセスポイントのＳＳＩＤ名から特定する。さらに、アクセスポイントは携帯端末２から出力される電波の強度（受信電波強度）を測定し、複数のアクセスポイントで測定された受信電波強度及び位置情報データベースに基づいて、携帯端末が存在する位置が推定される。
【０１３５】
このような表示態様により、ユーザーＵは、フロア内における画像形成装置１の位置関係を確認できるだけではなく、携帯端末２と画像形成装置１との位置関係を確認することができる。
【０１３６】
［第２，第３の実施形態の変形例］
ところで、上述した第２の実施形態と第３の実施形態では、信頼度の高い画像形成装置１が表示画面８０に表示されるまで、二次元情報（位置関係図、フロアマップ）の縮尺を小さくする方向に変更していた。しかし、表示画面８０に表示される画像形成装置１が、信頼度が低い画像形成装置１ばかりであっても、縮尺変更せずに表示する態様としてもよい。
例えば信頼度が高い画像形成装置１が無い場合や、信頼度が高い画像形成装置が極端に遠い場合は、信頼度の低い画像形成装置１ばかりでも縮尺を変更せずに表示する。このようにすることで、取り急ぎ近くにある画像形成装置を知りたいユーザーや、信頼度が低くても近くにある画像形成装置１を利用して印刷を行いたい等のユーザーの要望に応えることができる。
【０１３７】
［第１〜第３の実施形態の変形例］
また、第１〜第３の実施形態では、信頼度の高い画像形成装置１を表示するようにしているが、信頼度が中程度の画像形成装置１が表示画面８０に表示されていれば、信頼度の高い画像形成装置１を表示しないようにしてもよい。即ち、表示制御部７６は、信頼度が中程度の画像形成装置１が表示画面８０に表示されていれば、縮尺を小さくなる方向に変更することは行わない。
というのは、画像形成装置１は頻繁に移動するものではなく、ほとんど移動しないから、中程度でも実用に問題はないと判断する。
【０１３８】
＜４．第４の実施形態＞
第４の実施形態は、二次元情報を表示する前に、ユーザーＵがプリンタ選択画面から画像形成装置１を選択したとき、選択された画像形成装置１の位置情報の確からしさが低い場合には、近くのより確からしさの高い画像形成装置の位置を表示する例である。
【０１３９】
図２２は、携帯端末２の制御部６０による表示処理を示すフローチャートである。
まず制御部６０の表示制御部７６は、ジョブ作成モードにおいて画像形成装置一覧を表示パネル６７に表示するよう制御する（Ｓ４１）。図２３は、携帯端末２における画像形成装置１を選択するためのプリンタ選択画面の例を示す。本例では、ＭＦＰ２が選択されている。
【０１４０】
次に、表示制御部７６は、判定結果テーブル７５を参照し、タッチパネル６８により選択された画像形成装置１の信頼度が低いかどうかを判定する（Ｓ４２）。
【０１４１】
選択された画像形成装置１の信頼度が低い場合には（Ｓ４２のＹＥＳ）、二次元情報の縮尺を、選択された画像形成装置１にもっとも近い信頼度の高い（又はより信頼度の高い）画像形成装置１が表示画面８０に表示される縮尺に変更し、二次元情報を表示する（Ｓ４３）。
【０１４２】
次に、表示制御部７６は、より信頼度の高い画像形成装置１を紹介する表示画面８０を表示する（Ｓ４４）。
【０１４３】
一方、選択された画像形成装置１の信頼度が高い場合には（Ｓ４２のＮＯ）、選択された画像形成装置１の位置を表示画面８０に表示する（ステップＳ４５）。ステップＳ４４又はステップＳ４５の処理が終了した後、図２２のフローチャートの処理を終了する。
【０１４４】
図２４は、携帯端末２の表示画面８０に表示される二次元情報（フロアマップ）の説明図である。
プリンタ選択画面（図２３）ではＭＦＰ２が選択されたが、フロアマップ１０１には、ＭＦＰ１，ＭＦＰ２の近くに設置されている信頼性の高いＭＦＰ３が表示されている。また表示画面８０には、フロアマップ１０１とともに「ＭＦＰ３の位置情報の方が信頼性が高いですが、どうしますか？」と注意喚起メッセージ１０２が表示されるとともに、ＭＦＰ２の印刷ボタン１０３とＭＦＰ３の印刷ボタン１０４が並んで表示されている。
【０１４５】
上述した第４の実施形態によれば、ユーザーＵは、画像形成装置１の位置情報の確からしさを知った上で利用する画像形成装置１を選択できる。また、一旦選択した画像形成装置と異なる信頼度の高い画像形成装置を再選択することも可能となり、ユーザーＵの利便性が向上する。なお、図２４は、フロアマップの例であるが、図１７のような位置関係図に適用することもできる。
【０１４６】
＜５．第５の実施形態＞
第５の実施形態は、図２３のようなプリンタ選択画面において、位置情報の信頼度の高低の情報を反映した表示態様（二次元情報）の例である。
【０１４７】
図２５は、携帯端末２における画像形成装置１を選択するためのプリンタ選択画面の例を示す。
表示画面８０のプリンタ選択画面において、ＭＦＰ１〜ＭＦＰ４を選択するためのラジオボタンが表示されている。この例では、ＭＦＰ２のラジオボタンが反転表示されているため、ＭＦＰ２が選択されている。そして、位置情報の信頼度が高いＭＦＰ３の選択欄が強調表示されている。即ち、このプリンタ選択画面では、位置情報の信頼度が高いＭＦＰ（この例ではＭＦＰ３）を他のＭＦＰと区別して表示している。このような表示態様により、ユーザーＵは、プリンタ選択画面において、どの画像形成装置１の位置情報の信頼度が高いかを確認することができる。
【０１４８】
［第５の実施形態の変形例１］
図２６は、携帯端末２における画像形成装置１を選択するためのプリンタ選択画面の第１の変形例を示す。
表示画面８０のプリンタ選択画面において、ＭＦＰ１〜ＭＦＰ４のうち、ＭＦＰ２のラジオボタンが反転表示されているため、ＭＦＰ２が選択されている。そして、信頼度が高いＭＦＰ３の選択欄には、信頼度が高いことを示す「高」と表示されている。このような表示態様により、ユーザーＵは、プリンタ選択画面において、どの画像形成装置１の位置情報の信頼度が高いかを確認することができる。
【０１４９】
［第５の実施形態の変形例２］
図２７は、携帯端末２における画像形成装置１を選択するためのプリンタ選択画面の第２の変形例を示す。
表示画面８０のＭＦＰ１〜ＭＦＰ４の選択欄は、信頼度の高い順に表示されている。即ち、上からＭＦＰ３、ＭＦＰ１、ＭＦＰ２、ＭＦＰ４の順に信頼度が高い。さらに、表示画面８０のＭＦＰ１〜ＭＦＰ４の選択欄（名称の横）には、（遠）、（普）、（近）というように、距離の目安がテキスト表示されている。この距離の目安は、位置測定部６９を備える携帯端末２を基点としてもよいし、フロアマップの所定の位置（フロア中央など）を基点としてもよい。このような表示態様により、ユーザーＵは、プリンタ選択画面において、どの画像形成装置１の位置情報の信頼度が高いかに加え、さらにどの画像形成装置１の距離が近いかを確認することができる。
【０１５０】
上述した第５の実施形態及びその変形例によれば、プリンタ選択画面において、信頼度の高い画像形成装置の選択欄を他の画像形成装置の選択欄と異なる表示とする。これにより、ユーザーＵは、図１７及び図２１のような画像形成装置１の位置を表した二次元情報を表示しなくても、より位置情報が確からしい画像形成装置１を選択して印刷を実行することができる。さらに、図２７の例では、プリンタ選択画面において、より位置情報が確からしい画像形成装置１に加え、より近い画像形成装置１を選択して印刷を実行することができる。
【０１５１】
＜６．第６の実施形態＞
第６の実施形態は、選択された画像形成装置１の位置情報の信頼度が低い場合、画像形成装置１と携帯端末２を関連付けて記憶し、信頼度が低い画像形成装置１の位置情報が更新された場合に、関連付けて記憶していた携帯端末２に、位置情報が更新された旨を通知する。
【０１５２】
図２８は、画像形成装置１の制御部３０によるジョブ実行の処理を示すフローチャートである。
まず制御部３０は、ジョブが発行されたかどうかを判定し（Ｓ５１）、ジョブが発行されていない場合にはジョブの発行の監視を継続する（Ｓ５１のＮＯ）。
【０１５３】
次に、ジョブが発行された場合には（Ｓ５１のＹＥＳ）、制御部３０は、自装置の位置情報の信頼度が低いかどうかを判定する（Ｓ５２）。信頼度が低い場合には（Ｓ５２のＹＥＳ）、ジョブを投入した携帯端末２の識別情報（ＭＡＣアドレスなど）を不揮発メモリ３４等に記憶する（Ｓ５３）。なお、Ｓ５２の判断ステップを処理するためには、画像形成装置１側にも、携帯端末２の信頼度判定部７３の機能を設けておく必要がある。
【０１５４】
ステップＳ５３の処理が終了した後、又は、ステップＳ５２でＮＯと判定された場合、制御部３０はジョブを実行する（Ｓ５４）。この処理が終了した後、図２８のフローチャートの処理を終了する。
【０１５５】
図２９は、画像形成装置１の制御部３０による更新後の位置情報を送信する処理を示すフローチャートである。
まず制御部３０の位置情報設定部５１は、位置情報の入力があったかどうかを判定し（Ｓ６１）、位置情報の入力がない場合には位置情報の入力の監視を継続する（Ｓ６１のＮＯ）。
【０１５６】
次に、位置情報設定部５１は、画像形成装置１の位置情報を入力された位置情報で更新する（Ｓ６２）。
【０１５７】
次に、制御部３０は、自装置の更新前の位置情報の信頼度が低かったかどうかを判定する（Ｓ６３）。
【０１５８】
次に、位置情報の信頼度が低かった場合（Ｓ６３のＹＥＳ）、制御部３０は、位置情報の信頼度が低かった間にジョブが投入されたかどうかを判定する（Ｓ６４）。
【０１５９】
そして、位置情報の信頼度が低かった間にジョブが投入された場合（Ｓ６４のＹＥＳ）、制御部３０は、位置情報の信頼度が低かった間にジョブを投入した携帯端末２（図２８のＳ５３で記憶した携帯端末２）に対して、更新後の位置情報を送信する（Ｓ６５）。携帯端末２は、画像形成装置１から更新後の位置情報を受信した場合には、画像形成装置１の位置情報が更新された旨をユーザーＵに通知することが望ましい。
【０１６０】
ステップＳ６５の処理が終了した後、ステップＳ６３でＮＯと判定された場合、又はステップＳ６４でＮＯと判定された場合には、制御部３０は、図２９のフローチャートの処理を終了する。
【０１６１】
上述した第６の実施形態によれば、位置情報の確からしさが低い画像形成装置１に印刷を指示してしまったため、どこで印刷されたのか分からなくなってしまった場合であっても、後から対象の画像形成装置１の位置情報が更新されたならば、印刷ジョブを投入した携帯端末２に更新後の位置情報を通知し、印刷された場所が分かるようにすることが可能になる。
【０１６２】
なお、携帯端末２における位置情報が更新された旨の通知は、該当する画像形成装置を表す記号を点滅させる、位置情報が更新された画像形成装置のみを表示画面に表示する、あるいはプリンタ選択画面にて場所が変更された旨を表示してもよい。
【０１６３】
＜７．その他＞
上述した第１〜第６の実施形態及び変形例において、携帯端末２の表示画面８０に表示した二次元情報に複数の画像形成装置１の位置を表すようにしたが、１つの画像形成装置の位置だけを表示する設定としてもよい。例えば、ネットワークＮに接続された複数の画像形成装置１のうち、もっとも位置情報の信頼度が高い画像形成装置１の位置だけを表示してもよい。この表示態様により、位置情報の信頼度を重視するユーザーに対し、情報をもっとも位置情報の信頼度が高い画像形成装置１の位置に絞って提示できる。
【０１６４】
また、信頼度が基準値を超えた画像形成装置１のうちユーザーからもっとも近い画像形成装置１の位置だけを表示してもよい。もしくは信頼度の高低に関わらず、ユーザー（携帯端末２）の現在位置もしくは指定した位置からもっとも近い画像形成装置１の位置だけを表示してもよい。この表示態様により、画像形成装置１までの距離を重視するユーザーに対し、情報をもっとも近い画像形成装置１の位置に絞って提示できる。ここでは、デフォルト設定の縮尺では画像形成装置１の位置を表示できない場合に、二次元情報の縮尺が変更される。
【０１６５】
また、本発明は上述した各実施形態例に限られるものではなく、特許請求の範囲に記載した本発明の要旨を逸脱しない限りにおいて、その他種々の応用例、変形例を取り得ることは勿論である。
【０１６６】
例えば、上述した実施形態例は本発明を分かりやすく説明するために装置及びシステムの構成を詳細且つ具体的に説明したものであり、必ずしも説明した全ての構成を備えるものに限定されるものではない。また、ある実施形態例の構成の一部を他の実施形態例の構成に置き換えることは可能である。また、ある実施形態例の構成に他の実施形態例の構成を加えることも可能である。また、各実施形態例の構成の一部について、他の構成の追加、削除、置換をすることも可能である。
【０１６７】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリやハードディスク、ＳＳＤ（Solid State Drive）等の記録装置、又はＩＣカード、ＳＤカード、ＤＶＤ等の記録媒体に置くことができる。
【０１６８】
また、制御線や情報線は説明上必要と考えられるものを示しており、製品上必ずしも全ての制御線や情報線を示しているとは限らない。実際には殆ど全ての構成が相互に接続されていると考えてもよい。
【０１６９】
また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【符号の説明】
【０１７０】
１，１Ａ，１Ｂ，１Ｃ…画像形成装置１…携帯端末、  ３Ａ，３Ｂ，３Ｃ…画像形成システム、  １６…操作パネル、  ２０…画像形成部、  ３０…制御部、  ３１…ＣＰＵ、  ３６…ネットワークコントローラ、  ３７…近距離無線通信部、  ４６…電源、  ４７…メインスイッチ、  ５１…位置情報設定部、  ５２…時計部、  ５３…画像形成装置位置情報テーブル、  ５４…信頼度関係情報演算部、  ５５…電源検知部、  ５６…信頼度関係情報テーブル、  ５７…情報送信部、  ７１…情報収集部、  ７２…記憶部、  ７３…信頼度判定部、  ７４…評価点テーブル、  ７５…判定結果テーブル、  ７６…表示制御部、  ７７…画像データ、  ６０…制御部、  ６１…ＣＰＵ、  ６５…無線通信部、  ６６…近距離無線通信部、  ６７…表示パネル、  ６８…タッチパネル、  ６９…位置測定部、  ７０…高度計、  ８０…画面、  ８１，８２，８３，８４…位置、  ８５，８５´…位置関係図、  ９１，９２，９３…位置、  ９５，９５´…フロアマップ、  １０１…フロアマップ、  １０２…注意喚起メッセージ、  １０３…ＭＦＰ２印刷ボタン、１０４…ＭＦＰ３印刷ボタン、Ｎ…ネットワーク、  Ｒ１，Ｒ２…無線ルーター、  ＳＶ…サーバー
【図１】
2017158078.tif 000003
【図２】
2017158078.tif 000004
【図３】
2017158078.tif 000005
【図４】
2017158078.tif 000006
【図５】
2017158078.tif 000007
【図６】
2017158078.tif 000008
【図７】
2017158078.tif 000009
【図８】
2017158078.tif 000010
【図９】
2017158078.tif 000011
【図１０】
2017158078.tif 000012
【図１１】
2017158078.tif 000013
【図１２】
2017158078.tif 000014
【図１３】
2017158078.tif 000015
【図１４】
2017158078.tif 000016
【図１５】
2017158078.tif 000017
【図１６】
2017158078.tif 000018
【図１７】
2017158078.tif 000019
【図１８】
2017158078.tif 000020
【図１９】
2017158078.tif 000021
【図２０】
2017158078.tif 000022
【図２１】
2017158078.tif 000023
【図２２】
2017158078.tif 000024
【図２３】
2017158078.tif 000025
【図２４】
2017158078.tif 000026
【図２５】
2017158078.tif 000027
【図２６】
2017158078.tif 000028
【図２７】
2017158078.tif 000029
【図２８】
2017158078.tif 000030
【図２９】
2017158078.tif 000031